(57)【要約】【課題】快適な作業ができる背負式作業機を提供すること。【解決手段】燃料タンク４を、左側中空部４１、右側中空部４２及び連結中空部４３に分けて設け、左側中空部４１と右側中空部４２とを、エンジン３を挟むようにそれぞれエンジン３の左右に配置し、連結中空部４３を、エンジン３と背負枠２の起立部２５との間に配置する。左側中空部４１、右側中空部４２及び連結中空部４３により形成された前側に凹む凹部にならってエンジン３を作業者側（前側）に寄せることにより、エンジン３及び燃料タンク４全体の重心を作業者側の位置あるいは低い位置に設定可能にする。【選択図】図３
2014163273.tif 000002
【特許請求の範囲】
【請求項１】
作業者が背負いながら作業に供する背負式作業機（１）であって、
前記作業者が背負う背負枠（２）と、
前記背負枠（２）に取り付けられたエンジン（３）と、
前記エンジン（３）に供給する燃料を貯留する燃料タンク（４）と、を備え、
前記背負枠（２）は、前記作業者が当該背負枠を背負った状態で前記作業者の背中に沿う起立部（２５）を有しており、
前記エンジン（３）は、前記起立部（２５）の後側に配置されており、
前記燃料タンク（４）は、
左右方向において前記エンジン（３）を挟んで互いに対向し、内部に燃料を収容する左側中空部（４１）及び右側中空部（４２）と、
前後方向において前記エンジン（３）と前記起立部（２５）との間で前記左側中空部（４１）と前記右側中空部（４２）とを連通し、内部に燃料を収容する連結中空部（４３）と、を有しており、
前記連結中空部（４３）の後端部は、前記左側中空部（４１）及び前記右側中空部（４２）の後端部よりも前側に凹む凹部を形成する、
背負式作業機（１）。
【請求項２】
前記連結中空部（４３）は、その上面が前記左側中空部（４１）の上面及び前記右側中空部（４２）の上面よりも下側に配置されており、
前記連結中空部（４３）の上側には、前記起立部（２５）に沿った平板部（４４）が設けられており、
前記平板部（４４）には、当該平板部（４４）と前記起立部（２５）とをボルト締結するための貫通孔（４４ｃ）が設けられている、請求項１記載の背負式作業機（１）。
【請求項３】
前記左側中空部（４１）及び前記右側中空部（４２）のそれぞれは、側面視においてＬ字状を呈しており、前記Ｌ字をなす一方の直線部が前記起立部（２５）に沿っていると共に、前記Ｌ字をなす他方の直線部が前記一方の直線部の下端部から後方に突出している、請求項１又は２記載の背負式作業機（１）。
【発明の詳細な説明】
【技術分野】
【０００１】
本発明は、作業者が背負いながら作業に供する背負式作業機に関する。
【背景技術】
【０００２】
従来、作業者が背負いながら作業に供する背負式作業機が知られている（例えば、特許文献１参照）。特許文献１の背負式作業機では、背負フレームの一部である水平に延在する水平部の上方に、エンジンが配置されている。また、背負フレームの一部である上下方向に延在する垂直部には、燃料タンクを収容するための収容部が設けられている。これにより、特許文献１の背負式作業機では、燃料タンクがエンジンの前方において、上下方向に延在するように配置されている。
【先行技術文献】
【特許文献】
【０００３】
【特許文献１】特許第４２３７４５５号公報
【発明の概要】
【発明が解決しようとする課題】
【０００４】
特許文献１の背負式作業機においては、燃料タンクが上下方向に延在するように配置されているため、重量物であるエンジン及び燃料タンクの全体の重心が比較的高い位置に設定されることになり、快適な作業がし難くなるおそれがある。
【０００５】
本発明は、快適な作業ができる背負式作業機を提供することを目的とする。
【課題を解決するための手段】
【０００６】
作業者が背負いながら作業に供する背負式作業機（１）であって、作業者が背負う背負枠（２）と、背負枠（２）に取り付けられたエンジン（３）と、エンジン（３）に供給する燃料を貯留する燃料タンク（４）と、を備え、背負枠（２）は、作業者が当該背負枠（２）を背負った状態で作業者の背中に沿う起立部（２５）を有しており、エンジン（３）は、起立部（２５）の後側に配置されており、燃料タンク（４）は、左右方向においてエンジン（３）を挟んで互いに対向し、内部に燃料を収容する左側中空部（４１）及び右側中空部（４２）と、前後方向においてエンジン（３）と起立部（２５）との間で左側中空部（４１）と右側中空部（４２）とを連通し、内部に燃料を収容する連結中空部（４３）と、を有しており、連結中空部（４３）の後端部は、左側中空部（４１）及び右側中空部（４２）の後端部よりも前側に凹む凹部を形成する。
【０００７】
この背負式作業機（１）では、燃料タンク（４）は、左側中空部（４１）、右側中空部（４２）及び連結中空部（４３）に分けて設けられており、左側中空部（４１）と右側中空部（４２）とは、エンジン（３）を挟むようにそれぞれエンジン（３）の左右に配置され、連結中空部（４３）は、エンジン（３）と背負枠（２）の起立部（２５）との間に配置されている。このため、エンジン（３）及び燃料タンク（４）の重心を同じような上下方向位置に設定した場合であっても、左側中空部（４１）、右側中空部（４２）及び連結中空部（４３）により形成された前側に凹む凹部にならってエンジン（３）を作業者側（前側）に寄せることにより、エンジン（３）及び燃料タンク（４）全体の重心を作業者側の位置あるいは低い位置に設定できる。よって、快適な作業ができる。
【０００８】
ここで、連結中空部（４３）は、その上面が左側中空部（４１）の上面及び右側中空部（４２）の上面よりも下側に配置されており、連結中空部（４３）の上側には、起立部（２５）に沿った平板部（４４）が設けられており、平板部（４４）には、当該平板部（４４）と起立部（２５）とをボルト締結するための貫通孔（４４ｃ）が設けられていてもよい。この場合、起立部（２５）に締結される平板部（４４）よりも下側に連結中空部（４３）が位置することになるため、エンジン（３）及び燃料タンク（４）の全体の重心をより低い位置に設定できると共に、エンジン（３）を起立部（２５）に沿う平板部（４４）に寄せることにより、エンジン（３）及び燃料タンク（４）全体の重心をより作業者側の位置に設定できる。したがって、さらに快適な作業ができる。
【０００９】
また、左側中空部（４１）及び右側中空部（４２）のそれぞれは、側面視においてＬ字状を呈しており、Ｌ字をなす一方の直線部が起立部（２５）に沿っていると共に、Ｌ字をなす他方の直線部が一方の直線部の下端部から後方に突出していてもよい。この場合、Ｌ字により形成された側面視における凹部にならってエンジン（３）の外形を規定することにより、エンジン（３）の重心を一層低い位置且つ作業者側の位置に設定し、かつ、燃料タンク（４）の重心を作業者側へ寄せることが可能になる。したがって、エンジン（３）及び燃料タンク（４）全体の重心を一層低い位置且つ作業者側の位置に設定できる。よって、一層快適な作業ができる。
【発明の効果】
【００１０】
本発明によれば、快適な作業ができる背負式作業機を提供することが可能となる。
【図面の簡単な説明】
【００１１】
【図１】本発明の実施形態に係る背負式刈払機の斜視図である。
【図２】図１の背負式刈払機の要部を示す側面図である。
【図３】図２中のIII−III矢視図である。
【図４】図３中の背負枠及び燃料タンクを示す分解斜視図である。
【発明を実施するための形態】
【００１２】
以下、本発明に係る背負式刈払機の好適な実施形態について添付図面を参照しながら説明する。以下の説明において、上下及び前後の語は、背負式刈払機を背負った作業者を基準とした方向であり、左右の語は、背負式刈払機を背負った作業者を作業者の前方から見た場合を基準とした方向である。
【００１３】
図１は、本発明の実施形態に係る背負式刈払機の斜視図、図２は、図１の背負式刈払機の要部を示す側面図、図３は、図２中のIII−III矢視図、図４は、図３中の背負枠及び燃料タンクを示す分解斜視図である。
【００１４】
図１及び２に示されるように、背負式刈払機（背負式作業機）１は、エンジン３等が取り付けられた背負枠２を作業者が背負いながら草刈、枝打ち又は剪定等の作業に供する装置である。背負式刈払機１は、背負枠２及びエンジン３に加えて、燃料タンク４、方向変換機５、フレキシブルシャフト６及び主杆７を備えている。なお、図２においては、フレキシブルシャフト６及び主杆７は取り外されている。
【００１５】
図２及び４に示されるように、背負枠２は、側面視において略コ字状を呈している。背負枠２は、下枠部２１及び上枠部２２を有している。下枠部２１は、側面視において略Ｌ字状を呈しており、水平方向に延在する下枠水平部２１ａと、上下方向に延在する一対の下枠起立部２１ｂ，２１ｂと、を含んでいる。下枠水平部２１ａは、平面視において、略Ｕ字状を呈している。下枠起立部２１ｂは、下枠水平部２１ａのＵ字の開放端部のそれぞれから上方に向かって起立し延在している。下枠起立部２１ｂには、ボルトを通すために前後方向に貫通する貫通孔２１ｃが上下方向に沿って複数設けられている。下枠部２１は、例えば、金属等のパイプ状の部材を曲げることにより一体に形成されている。
【００１６】
下枠水平部２１ａには、台座２１ｄが一体に設けられている。台座２１ｄの上部には、ブラケット２３が取り付けられている。ブラケット２３は、防振ゴムＥを介して、台座２１ｄに複数箇所で締結されている。ブラケット２３は、例えば、樹脂成形等により形成されている。
【００１７】
上枠部２２は、側面視において、上下逆さの略Ｌ字状を呈している。上枠部２２は、上下方向に起立し延在する上枠起立部２２ａと、水平方向に対して斜め上方に延在する上枠斜め部２２ｂとを含んでいる。上枠起立部２２ａは、略板状を呈している。上枠起立部２２ａの後面の左部には、リコイルスタータＲのノブＮ（詳しくは後述）を支持するノブ支持部２２ｃが取り付けられている。上枠起立部２２ａには、上述の貫通孔２１ｃに通されるボルトを締結するための複数のねじ孔（不図示）が設けられている。上枠斜め部２２ｂは、平面視において略コ字状を呈しており、コ字の開放端部のそれぞれが上枠起立部２２ａの上端部に連結されている。上枠部２２は、例えば、樹脂成形等より一体に形成されている。
【００１８】
台座２１ｄ及び下枠部２１の下枠水平部２１ａは、作業者が背負枠２を背負った状態において水平方向に延在し、エンジン３等が配置される架台部２４として機能する。下枠部２１の下枠起立部２１ｂ及び上枠部２２の上枠起立部２２ａは、作業者が背負枠２を背負った状態において作業者の背中に沿って上下方向に延在する起立部２５として機能する。なお、上枠部２２の前側には、背当て２６が取り付けられている。また、上枠部２２には、作業者が背負枠２を背負うための背負バンド９が取り付けられている（図１参照）。
【００１９】
エンジン３は、上述の構成の背負枠２に固定されている。具体的には、エンジン３は、その出力軸（不図示）を背負枠２の起立部２５と反対側（後側）に向けた状態で、背負枠２のブラケット２３にその向きを変えられないように例えばボルト締結等により固定されている。図１及び２に示されるように、エンジン３は、リコイルロープに取り付けられたノブＮを引っ張ることにより、エンジン３内のクランクシャフト（不図示）にトルクを与えてエンジン３を始動させるリコイルスタータＲを有している。リコイルスタータＲは、エンジン３において起立部２５に面する側（前側）に設けられている。図１に示されるように、燃料タンク４は、背負枠２に固定されている（詳しくは後述）。
【００２０】
フレキシブルシャフト６は、可撓性を有しており、その一方の端部が方向変換機５に接続されている。主杆７は、その一方の端部がフレキシブルシャフト６の他方の端部に接続されている。主杆７の他方の端部には、刈刃７１が取り付けられている。フレキシブルシャフト６及び主杆７の内部には、エンジン３からの動力を刈刃７１に伝えるための軸（不図示）が設けられている。方向変換機５の内部には、出力軸からの動力を、フレキシブルシャフト６及び主杆７の内部の軸に伝えるための伝動軸（不図示）が設けられている。
【００２１】
なお、主杆７の長手方向の中央部付近には、作業者が握るためのグリップ７２が設けられており、主杆７の刈刃７１寄りの部分には、刈られた草等が作業者側へ飛散するのを抑制するカバー７３が取り付けられている。
【００２２】
次に、燃料タンク４の構成並びに燃料タンク４、背負枠２及びエンジン３の配置関係について、詳細に説明する。
【００２３】
図３及び４に示されるように、燃料タンク４は、左側中空部４１、右側中空部４２、連結中空部４３及び平板部４４を有している。左側中空部４１及び右側中空部４２のそれぞれは、中空状を呈している。左側中空部４１と右側中空部４２とは、左右方向において、エンジン３の下部を挟んで互いに対向している（図１及び３参照）。
【００２４】
左側中空部４１及び右側中空部４２のそれぞれは、側面視において、Ｌ字状を呈している。左側中空部４１及び右側中空部４２のそれぞれにおいて、Ｌ字をなす一方の直線部は、起立部２５（具体的には、上枠起立部２２ａ）に沿っており、Ｌ字をなす他方の直線部は、一方の直線部の下端部から後方に突出している。エンジン３の側部の外形は、左側中空部４１のＬ字により形成された側面視における凹部、及び、右側中空部４２のＬ字により形成された側面視における凹部のそれぞれにならった形状とされている。
【００２５】
連結中空部４３は、前後方向においてエンジン３と下枠起立部２１ｂとの間に配置されている。連結中空部４３は、中空状を呈している。連結中空部４３は、左右方向に沿って延在しており、左側中空部４１と右側中空部４２とを連通している。左側中空部４１、右側中空部４２及び連結中空部４３により形成された空間内に、エンジン３に供給される燃料が貯留される。左側中空部４１、右側中空部４２及び連結中空部４３は、平面視においてコ字状を呈しており、連結中空部４３の後端部は、左側中空部４１及び右側中空部４２の後端部よりも前側に凹む凹部を形成している。エンジン３の前部の外形は、左側中空部４１、右側中空部４２及び連結中空部４３により形成された上述の凹部にならった形状とされている。連結中空部４３の上面は、左側中空部４１の上面及び右側中空部４２の上面よりも下側に配置されている。なお、左側中空部４１には、燃料を注入するための注入口が設けられている。
【００２６】
平板部４４は、連結中空部４３の上面の前部に連結されている。平板部４４は、起立部２５（具体的には、下枠起立部２１ｂ）に沿った平板状を呈している。平板部４４は、左側中空部４１と右側中空部４２とを連結している。平板部４４には、上述の貫通孔２１ｃに通されるボルトを通すための複数の貫通孔４４ｃが設けられている。連結中空部４３及び平板部４４は、側面視においてＬ字状を呈している。エンジン３の前部の外形は、連結中空部４３及び平板部４４のＬ字により形成された側面視における凹部にならった形状とされている。燃料タンク４は、例えば、樹脂成形等により一体に形成されている。平板部４４と、下枠部２１の下枠起立部２１ｂと、上枠部２２の上枠起立部２２ａとは、上述のボルトが貫通孔４４ｃ及び貫通孔２２ｃに通されることにより複数箇所で共締めされ一体化されている。
【００２７】
このような背負式刈払機１においては、作業者が、背負枠２を背負いながら、グリップ７２を握って主杆７を操作する。
【００２８】
特に、本実施形態の背負式刈払機１では、燃料タンク４は、左側中空部４１、右側中空部４２及び連結中空部４３に分けて設けられており、左側中空部４１と右側中空部４２とは、それぞれエンジン３の左右に配置され、連結中空部４３は、エンジン３と背負枠２の起立部２５との間に配置されている。このため、エンジン３及び燃料タンク４の重心を同じような上下方向位置に設定した場合であっても、左側中空部４１、右側中空部４２及び連結中空部４３により形成された前側に凹む凹部にならってエンジン３を作業者側（前側）に寄せることにより、エンジン３及び燃料タンク４全体の重心を作業者側の位置あるいは低い位置に設定できる。よって、快適な作業ができる。
【００２９】
また、連結中空部４３は、その上面が左側中空部４１の上面及び右側中空部４２の上面よりも下側に配置されており、連結中空部４３の上側には、起立部２５に沿った平板部４４が設けられており、平板部４４には、当該平板部４４と起立部２５とをボルト締結するための貫通孔４４ｃが設けられている。このため、起立部２５に締結される平板部４４よりも下側に連結中空部４３が位置することになるため、エンジン３及び燃料タンク４の全体の重心をより低い位置に設定できると共に、エンジン３を起立部２５に沿う平板部４４に寄せることにより、エンジン３及び燃料タンク４全体の重心をより作業者側の位置に設定できる。したがって、さらに快適な作業ができる。
【００３０】
また、平板部４４は、燃料タンク４を樹脂のブロー成形により容易に製造することができる。加えて、燃料タンク４を背負枠２に固定するための貫通孔４４ｃを、燃料が貯留される部分以外の平板部４４に設けることができ、燃料タンク４の背負枠２への取付が好適に行える。
【００３１】
また、左側中空部４１及び右側中空部４２のそれぞれは、側面視においてＬ字状を呈しており、Ｌ字をなす一方の直線部が起立部２５に沿っていると共に、Ｌ字をなす他方の直線部が一方の直線部の下端部から後方に突出している。このため、Ｌ字により形成された側面視における凹部にならってエンジン３の外形を規定することにより、エンジン３の重心を一層低い位置且つ作業者側の位置に設定し、かつ、燃料タンク４の重心を作業者側へ寄せることが可能になる。したがって、エンジン３及び燃料タンク４全体の重心を一層低い位置且つ作業者側の位置に設定できる。よって、一層快適な作業ができる。
【００３２】
また、背負式刈払機１では、燃料タンク４は、エンジン３ではなく、背負枠２に固定されているため、エンジン３の部品点数が低減され、組み立てが容易になる。また、エンジン３を背負枠２から容易に取り外すことができるため、メンテナンス性を向上できる。
【００３３】
以上、本発明をその実施形態に基づき具体的に説明したが、本発明は上記実施形態に限定されるものではない。例えば、上記実施形態では、背負式作業機は、背負式刈払機１であるが、例えば、背負式カルチベータ、背負式ブロワ、背負式噴霧機等であってもよい。
【符号の説明】
【００３４】
１…背負式刈払機（背負式作業機）、２…背負枠、３…エンジン、４…燃料タンク、２５…起立部、４１…左側中空部、４２…右側中空部、４３…連結中空部、４４…平板部、４４ｃ…貫通孔。
【図１】
2014163273.tif 000003
【図２】
2014163273.tif 000004
【図３】
2014163273.tif 000005
【図４】
2014163273.tif 000006